(57)【特許請求の範囲】
【請求項１】
楽曲データの配信要求を行った端末装置へ、シーケンス・データと音色パラメータとからなる楽曲データの配信を行う楽曲データ配信装置において、
前記端末装置から所定の楽曲データの配信要求を受けると、前記楽曲データの音色パラメータの音色ナンバと前記音色パラメータのバージョン情報を抽出し、前記端末装置に対して前記音色ナンバの音色パラメータが記憶されているか否か、および、前記音色ナンバに該当する音色パラメータのバージョン情報の間い合わせを行う問い合わせ手段と、
前記端末装置から前記問い合わせに対する通知を受けた際に、前記端末装置からの通知の内容から前記音色ナンバに対応する音色パラメータが記憶されているか否か、および、前記楽曲データの前記音色パラメータのバージョン情報を判定する判定手段と、
該判定手段の判定に応じて前記端末装置へ配信するデータを決定する配信手段とを備え、
前記判定手段が、前記音色ナンバに対応する音色パラメータが記憶されていると共に、通知された前記バージョン情報が前記楽曲データの前記音色パラメータのバージョン情報と一致していると判定した場合は、前記配信手段が当該音色パラメータの配信は行わずシーケンスデータのみ配信し、
前記判定手段が、前記音色ナンバに対応する音色パラメータが記憶されていないと判定した場合は、前記配信手段が当該音色パラメータとシーケンスデータの配信を行い、
前記判定手段が、前記音色ナンバに対応する音色パラメータが記憶されていると共に、通知された前記バージョン情報が前記楽曲データの前記音色パラメータのバージョン情報と一致していないと判定した場合は、当該音色パラメータの差分とシーケンスデータを配信するようにしたことを特徴とする楽曲データ配信装置。
【請求項２】
楽曲データの配信要求先の楽曲データ配信装置から、シーケンス・データと音色パラメータとからなる楽曲データの配信を受ける端末装置において、
配信要求した楽曲データにおける音色パラメータの配信を楽曲データ配信装置から受ける際に、前記楽曲データ配信装置からの問い合わせに対して、前記楽曲データの音色パラメータの音色ナンバの音色パラメータが記憶されているか否か、および、前記音色ナンバに該当する音色パラメータのバージョン情報を通知する通知手段と、
該通知手段が通知した内容に応じて配信されたデータが記憶される記憶手段とを備え、
前記通知手段が通知した内容が、前記音色ナンバに該当する音色パラメータが記憶されていると共に、そのバージョンが一致する通知の場合は、当該音色パラメータの配信は行われずシーケンスデータのみが配信されて前記記憶手段に記憶され、また、前記音色ナンバに対応する音色パラメータが記憶されていない通知の場合は、当該音色パラメータとシーケンスデータが配信されて前記記憶手段に記憶され、さらに、前記音色パラメータの音色ナンバに該当する音色パラメータが記憶されているが、そのバージョンが一致しない通知の場合は当該音色パラメータの差分とシーケンスデータが配信されて前記記憶手段に記憶されるようにしたことを特徴とする端末装置。
【請求項３】
前記配信された音色パラメータの差分と、前記記憶手段に格納されている音色ナンバが一致する音色パラメータとから、バージョンアップされた音色パラメータを生成して、前記記憶手段に記憶するようにしたことを特徴とする請求項２記載の端末装置。
【発明の詳細な説明】
【０００１】
【発明が属する技術分野】
本発明は、楽曲データを配信する楽曲データ配信装置と、楽曲データの配信を受けることができる自動車電話機や携帯電話機等の端末装置に関するものである。
【０００２】
【従来の技術】
アナログセルラーシステムやデジタルセルラーシステムとして知られているＰＤＣ（Personal Digital Cellular telecommunication system）等の携帯電話システムや、簡易型携帯電話システム（ＰＨＳ：Personal Handyphone System）において、ユーザが携帯している電話端末装置に着信があった際には、着信をユーザに報知するために着信音が放音される。この着信音としては、従来ビープ音が放音されていたが、ビープ音が耳障りな音であることからビープ音に変わりメロディ音を着信音とすることが最近行われている。
【０００３】
従来の電話端末装置では、メロディを再生することのできるメロディＩＣを搭載することにより着信メロディを再生するようにしていた。このメロディＩＣは、音源とシーケンサと楽譜データ記憶用ＲＯＭおよび音色データ記憶用ＲＯＭからなり、外部から再生指令を与えることにより楽譜データ記憶用ＲＯＭに記憶された楽譜データを、音色データ記憶用ＲＯＭから読み出した音色で再生してメロディを再生するようにしている。従って、メロディ音を発生することができるものの、メロディ音の音質としては満足できるものではなかった。
【０００４】
【発明が解決しようとする課題】
これを解決するために、自動演奏することのできる楽曲再生装置を用いることが考えられる。このような自動演奏可能な楽曲再生装置は、中央処理装置（Central Processing Unit：ＣＰＵ）、ＲＯＭ（Read Only Memory）、ＲＡＭ（Random Access Memory）、音源を備え、ＲＯＭに記憶された自動演奏プログラムをＣＰＵが実行することにより、ＲＯＭあるいはＲＡＭに記憶された楽曲データを読み出して、音源に対して発音パラメータを設定することにより楽曲を再生するようにしている。
このような楽曲再生装置を携帯電話機等の端末装置に搭載した際に、楽曲再生装置が再生する楽曲データは、一般にシーケンス・データと音色パラメータから構成される。従って、楽曲再生装置により着信メロディを再生するには、このような楽曲データが必要となる。
【０００５】
この場合、シーケンス・データと音色パラメータからなる楽曲データの何曲かは端末装置にプリセットされるが、ユーザが任意の楽曲を着信メロディとしたい場合は、その楽曲のシーケンス・データをいちいち打ち込む必要があった。しかし、携帯電話機等の端末装置に備えられているキーは限られたキーしかないことから、このシーケンス・データの打ち込み作業は大変な作業になるという問題点があった。また、音色パラメータについては音色編集手段等が備えられていない場合は、任意の音色パラメータを設定することができなかった。
そこで、これを解決するために電話回線や各種ネットワークを通じて、ユーザが望む楽曲の楽曲データをダウンロードセンターからユーザ端末にダウンロードすることが提案されている。このダウンロードによれば、ユーザ端末はダウンロードセンターに接続することにより所望の楽曲データをユーザ端末にダウンロードすることができ、ダウンロードした楽曲データのいずれでも着信メロディとして選択することができるようになる。
【０００６】
しかしながら、楽曲データはシーケンス・データと、そのシーケンス・データを再生する際に必要とされる音色パラメータとから構成されているため、シーケンス・データは異なっていても同じ音色パラメータを重複してダウンロードすることが生じるようになる。すると、ユーザ端末においては記憶手段に重複して同じ音色パラメータが記憶されることから、記憶領域を効率的に使用することができなくなる。また、ユーザ端末にダウンロードする通信時間も長くなり、トラヒックが混雑する原因になると共に、その分通信料金も高くなってしまうことになる。
【０００７】
そこで、本発明は、楽曲データをダウンロードする際に、重複して音色パラメータをダウンロードしないようにした楽曲データ配信装置および端末装置を提供することを目的としている。
また、本発明は、音色パラメータの音色ナンバが一致してもバージョンが改訂されてよりよい音色パラメータとされる場合に対応できるようにした楽曲データ配信装置および端末装置を提供することを目的としている。
【０００８】
【課題を解決するための手段】
前記目的を達成するために、本発明の楽曲データ配信装置は、楽曲データの配信要求を行った端末装置へ、シーケンス・データと音色パラメータとからなる楽曲データの配信を行う楽曲データ配信装置において、前記端末装置から所定の楽曲データの配信要求を受けると、前記楽曲データの音色パラメータの音色ナンバと前記音色パラメータのバージョン情報を抽出し、前記端末装置に対して前記音色ナンバの音色パラメータが記憶されているか否か、および、前記音色ナンバに該当する音色パラメータのバージョン情報の間い合わせを行う問い合わせ手段と、前記端末装置から前記問い合わせに対する通知を受けた際に、前記端末装置からの通知の内容から前記音色ナンバに対応する音色パラメータが記憶されているか否か、および、前記楽曲データの前記音色パラメータのバージョン情報を判定する判定手段と、該判定手段の判定に応じて前記端末装置へ配信するデータを決定する配信手段とを備え、前記判定手段が、前記音色ナンバに対応する音色パラメータが記憶されていると共に、通知された前記バージョン情報が前記楽曲データの前記音色パラメータのバージョン情報と一致していると判定した場合は、前記配信手段が当該音色パラメータの配信は行わずシーケンスデータのみ配信し、前記判定手段が、前記音色ナンバに対応する音色パラメータが記憶されていないと判定した場合は、前記配信手段が当該音色パラメータとシーケンスデータの配信を行い、前記判定手段が、前記音色ナンバに対応する音色パラメータが記憶されていると共に、通知された前記バージョン情報が前記楽曲データの前記音色パラメータのバージョン情報と一致していないと判定した場合は、当該音色パラメータの差分とシーケンスデータを配信するようにしている。
【００１０】
前記目的を達成することのできる本発明の端末装置は、楽曲データの配信要求先の楽曲データ配信装置から、シーケンス・データと音色パラメータとからなる楽曲データの配信を受ける端末装置において、配信要求した楽曲データにおける音色パラメータの配信を楽曲データ配信装置から受ける際に、前記楽曲データ配信装置からの問い合わせに対して、前記楽曲データの音色パラメータの音色ナンバの音色パラメータが記憶されているか否か、および、前記音色ナンバに該当する音色パラメータのバージョン情報を通知する通知手段と、該通知手段が通知した内容に応じて配信されたデータが記憶される記憶手段とを備え、前記通知手段が通知した内容が、前記音色ナンバに該当する音色パラメータが記憶されていると共に、そのバージョンが一致する通知の場合は、当該音色パラメータの配信は行われずシーケンスデータのみが配信されて前記記憶手段に記憶され、また、前記音色ナンバに対応する音色パラメータが記憶されていない通知の場合は、当該音色パラメータとシーケンスデータが配信されて前記記憶手段に記憶され、さらに、前記音色パラメータの音色ナンバに該当する音色パラメータが記憶されているが、そのバージョンが一致しない通知の場合は当該音色パラメータの差分とシーケンスデータが配信されて前記記憶手段に記憶されるようにしている。
【００１２】
さらに、上記本発明の端末装置において、前記配信された音色パラメータの差分と、前記記憶手段に格納されている音色ナンバが一致する音色パラメータとから、バージョンアップされた音色パラメータを生成して、前記記憶手段に記憶するようにしてもよい。
【００１３】
このような本発明によれば、楽曲データが配信される端末装置において、配信される楽曲データにおける音色パラメータの音色ナンバに該当する音色パラメータが格納されていない場合と、格納されていたとしてもその音色パラメータのバージョン情報が一致しない場合に、その音色パラメータを端末装置に配信するようにしている。従って、すでに端末装置に格納されている音色パラメータをダウンロードすることを防止することができる。また、配信される音色パラメータがバージョンアップされている場合も配信されるので、端末装置には最新の音色パラメータを格納することができるようになる。
なお、バージョンアップされた音色パラメータを配信する際に、その差分の音色パラメータのみを配信するようにすると、配信データ量を低減することができ、ダウンロード時間を短時間とすることができる。このように、差分の音色パラメータのみが配信された場合は、端末装置において既に格納されている音色ナンバが一致する音色パラメータと配信された差分の音色パラメータから、最新の音色パラメータを生成して記憶することができる。これにより、端末装置にはバージョンアップされた最新の音色パラメータを格納することができるようになる。
【００１４】
【発明の実施の形態】
本発明の端末装置を携帯電話機とし本発明の楽曲データ配信装置をダウンロードセンターとして構築した、電話回線を使用したネットワークの概念図を図１に示す。
本発明の端末装置である携帯電話機１（１０１）を移動機とするセルラーシステムは、一般に小ゾーン方式が採用されてサービスエリア内に多数の無線ゾーンが配置されている。この各々の無線ゾーンを管理するのが基地局２ａ〜基地局２ｄであり、移動局である携帯電話機１（１０１）が一般電話機と通話する際には、携帯電話機１（１０１）が属する無線ゾーンを管理している基地局２ｃを介して移動交換局３に接続され、移動交換局３から一般電話網に接続されるようになる。このように、携帯電話機１（１０１）は、自機が属する無線ゾーンを管理する基地局２ｃと無線回線を介して接続されることにより他の電話機と通話を行うことができるようになる。
【００１５】
このようなセルラーシステムによるネットワークの例が図１に示されており、携帯電話機１（１０１）は基地局２ａ〜基地局２ｄのうちの基地局２ｃが管理する無線ゾーン内に属している場合が示されている。携帯電話機１（１０１）と基地局２ｃとは通信中は無線回線により接続されており、通話を行う際や位置登録を行う際の上り信号は基地局２ｃで受信されて処理される。基地局２ａ〜基地局２ｄはそれぞれ異なる無線ゾーンを管理しているが、その無線ゾーンの周縁は相互に重なるようになっていてもよい。基地局２ａ〜基地局２ｄは多重化回線を介して移動交換局３に接続され、さらに、複数の移動交換局３は関門交換局４で集線されて一般電話交換局５ａに接続される。複数設けられた関門交換局４は相互に中継伝送路で接続されている。一般電話交換局５ａ，５ｂ，５ｃ・・・は各地域毎に設置されており、一般電話交換局５ａ，５ｂ，５ｃ・・・間も中継伝送路で相互に接続されている。一般電話交換局５ａ，５ｂ，５ｃ・・・の各々には、多数の一般電話が接続されており、例えば、一般電話交換局５ｂには本発明の楽曲データ配信装置であるダウンロードセンター６が接続されている。
【００１６】
ダウンロードセンター６には随時新曲やバージョンアップされた音色パラメータが追加されて多数の楽曲データが蓄積されており、本発明においては、一般電話網に接続されているダウンロードセンター６から、例えば携帯電話機１（１０１）に楽曲データをダウンロードすることができるようにされている。ここで、携帯電話機１がダウンロードセンター６に配信要求をして、楽曲データをダウンロードする場合の概略説明を行う。この際には、携帯電話機１はダウンロードセンター６の電話番号を発呼する。これにより、携帯電話機１−基地局２ｃ−移動交換局３−関門交換局４−一般電話交換局５ａ−一般電話交換局５ｂ−ダウンロードセンター６の経路で、ダウンロードセンター６と携帯電話機１とが接続される。次いで、携帯電話機１は表示部に表示されるメニューに従ってダイヤルボタン等を操作すれば、所望の曲名の楽曲データをダウンロードすることができる。この場合の、楽曲データとはシーケンス・データと音色パラメータとから構成されており、音色パラメータは音色を形成するための波形パラメータやエンベロープパラメータ等のパラメータ群から構成されている。また、音色パラメータは異なる音色パラメータ毎に一意の音色ナンバと対応づけられており、音色ナンバにより音色パラメータを指定することができる。
【００１７】
すなわち、ダウンロードセンター６においては、楽曲データは図４に示すようにチャンネル１，チャンネル２，・・・・チャンネルｎでチャンネル毎に指定されている音色パラメータを特定する音色ナンバと、再生時にこれらの音色パラメータを使用するシーケンス・データとからなるファイルと、音色ナンバで特定される音色パラメータのファイルとして格納されている。したがって、ダウンロードセンター６から楽曲データをダウンロードする際には、シーケンス・データと、少なくとも発音チャンネルは１チャンネル以上とされることから、１つ以上の音色パラメータとがダウンロードされるようになる。この場合の音色パラメータは、チャンネル毎に指定されている音色ナンバにより特定される音色パラメータである。ところで、この音色パラメータをダウンロードセンター６から携帯電話機１にダウンロードする際の、音色パラメータを配信する構成に本発明は特徴を有している。以下、その概略を説明する。
【００１８】
携帯電話機１に設けられた記憶手段には、幾つかの楽曲データがプリセットされていると共に、すでにダウンロードされた楽曲データも記憶されている。従って、楽曲データを構成している幾つかの音色パラメータも記憶されていることになる。このように、すでに記憶されている音色パラメータを再生時に使用する新規のシーケンス・データをダウンロードセンター６から携帯電話機１にダウンロードする際に、すでに記憶されている音色パラメータと一致する音色パラメータをダウンロードすることは無駄なことである。そこで、本発明においては、すでに記憶されている音色パラメータと一致する音色パラメータをダウンロードせずに、未だ記憶されていない音色パラメータとシーケンス・データをダウンロードするようにしている。
【００１９】
携帯電話機１にダウンロードしようとしている音色パラメータがすでに記憶されているか否かを検出するには、その音色パラメータを特定する音色ナンバを携帯電話機１に問い合わせる。携帯電話機１に、問い合わせた音色ナンバの音色パラメータが記憶されていれば、ダウンロードセンター６が携帯電話機１にシーケンス・データを配信する際に、その音色パラメータについては配信しないようにする。なお、音色パラメータはよりよい音色が作成されるようにバージョンアップされている。すなわち、音色ナンバが一致していても音色パラメータの一部が変更されている場合があり得る。そこで、携帯電話機１に問い合わせた音色ナンバの音色パラメータが記憶されていても、そのバージョンを示す情報が一致しない場合は、ダウンロードセンター６に格納されている音色パラメータがバージョンアップされているとして、その音色パラメータをシーケンス・データを配信する際に携帯電話機１に配信するようにする。これにより、最新の音色パラメータを携帯電話機１にセットすることができ、携帯電話機１においてはよりよい音色の楽音を再生することができるようになる。
【００２０】
ところで、音色パラメータがバージョンアップされた際には、その音色パラメータの全てが変更されるものではなく、一部だけが変更される場合がほとんどである。そこで、バージョンアップされている音色パラメータをシーケンス・データと共に携帯電話機１に配信する際には、変更された部分だけからなる差分音色パラメータだけを携帯電話機１に配信するようにしてもよい。携帯電話機１においては、配信された差分音色パラメータと、音色ナンバが一致するすでに記憶されている音色パラメータとから、バージョンアップされた音色パラメータを生成して、当該音色ナンバの音色パラメータとして上書き保存するようにする。この際には、バージョン情報も書き換えるようにする。これにより、配信するデータ量を低減できるにも関わらず、最新の音色パラメータを携帯電話機１にセットすることができ、携帯電話機１においてはよりよい音色の楽音を再生することができるようになる。
以上の説明は携帯電話機１がダウンロードセンター６から楽曲データをダウンロードする際の説明であるが、携帯電話機１０１がダウンロードセンター６から楽曲データをダウンロードする際も同様とされる。
【００２１】
次に、本発明の端末装置の実施の形態である携帯電話機１（１０１）の構成例を図２に示す。
図２において、携帯電話機１は、一般にリトラクタブルとされたアンテナ１ａを備え、アンテナ１ａは変調・復調機能を有する通信部１３に接続されている。システム用の中央処理装置（Central Processing Unit：ＣＰＵ）１０は、電話機能プログラムを実行することにより携帯電話機１の各部の動作を制御するシステム制御部であり、動作時の経過時間を示したり、特定の時間間隔でタイマ割込を発生するタイマを備えている。また、システムＣＰＵ１０は割込要求信号（ＩＲＱ）を受けた際に、後述する楽曲再生処理を補助する処理を行う。システムＲＡＭ１１はダウンロードセンター６からダウンロードされたシーケンス・データおよび音色パラメータからなる楽曲データの格納エリアや、ユーザ設定データ格納エリア、および、システムＣＰＵ１０のワークエリア等が設定されるＲＡＭ（Random Access Memory）である。システムＲＯＭ１２はシステムＣＰＵ１０が実行する送信や着信の各種電話機能プログラムや楽曲再生処理を補助する処理等のプログラムや、プリセットされたシーケンス・データや音色パラメータ等の各種データが格納されているＲＯＭ（Read Only Memory）である。
【００２２】
また、通信部１３は、アンテナ１ａで受信された信号の復調を行うと共に、送信する信号を変調してアンテナ１ａに供給している。通信部１３で復調された受話信号は、音声処理部（コーダ／デコーダ）１４において復号され、マイク２１から入力された通話信号は音声処理部１４において圧縮符号化される。音声処理部１４は、送話用の音声を高能率圧縮符号化／復号化しており、例えばＣＥＬＰ（Code Excited LPC ）系やＡＤＰＣＭ（適応差分ＰＣＭ符号化）方式のコーダ／デコーダとされている。楽曲再生部１５は、音声処理部１４からの受話信号を受話用スピーカ２２から放音したり、楽曲データを再生して着信音／保留音として出力している。なお、着信音は着信用スピーカ２３から放音され、保留音は受話信号とミキシングされて受話用スピーカ２２から放音される。
【００２３】
また、楽曲再生部１５が楽曲データを再生している際に、内部に設けられたシーケンス・データの記憶手段に所定量の空きエリアが生じた場合は、楽曲再生部１５は割込要求信号（ＩＲＱ）をシステムＣＰＵ１０に与え、システムＣＰＵ１０はシステムＲＡＭ１１あるいはシステムＲＯＭ１２に記憶されているシーケンス・データの続きを読み出して楽曲再生部１５に転送している。インタフェース（Ｉ／Ｆ）１６は、パーソナルコンピュータ等の外部機器２０からシーケンス・データと音色パラメータからなる楽曲データ等をダウンロードするためのインタフェースである。入力部１７は携帯電話機１に備えられた「０」から「９」のダイヤルボタンや各種ボタンから構成される入力手段である。表示部１８は電話機能のメニューや、ダイヤルボタン等のボタンの操作に応じた表示がされる表示器である。バイブレータ１９は、着信時に着信音に代えて携帯電話機１の本体を振動させることにより、着信をユーザに知らせるバイブレータである。なお、各機能ブロックはバス２４を介してデータや命令の授受を行っている。
【００２４】
次に、図２に示す楽曲再生部１５の構成例を図３に示す。
図３において、インタフェース３０はバス２４を介して各種データを受け取るインタフェースであり、シーケンス・データや音色パラメータを含む各種データと、受け取ったデータが何のデータであるかを示すインデックス・データ（INDEX）とを分離して、データはDATA出力から出力し、インデックス・データ（INDEX）はINDEX出力から出力している。ＦＩＦＯ（First-In First-Out）３１はシーケンス・データを、例えば３２ワード分格納できる記憶手段であり、先に書き込まれたシーケンス・データから順次読み出されるようにされている。ＦＩＦＯ３１からシーケンス・データが読み出されて設定された所定量の空きエリアが発生した際には、ＦＩＦＯ３１は割込要求信号（ＩＲＱ）をシステムＣＰＵ１０に通知している。これを受けて、システムＣＰＵ１０はシーケンス・データの続きを所定量だけインタフェース３０を介してＦＩＦＯ３１に書き込むようにする。
【００２５】
ＩＮＤＥＸデコーダ３２は、インデックス・データをデコードして書込パルス（ＷＰ）とIRQ Pointデータのラッチパルス（ＬＰ）をＦＩＦＯ３１に供給し、シーケンサ３３が受け取るデータがインタフェース３０のDATA出力から出力される際にシーケンサ３３にその旨を示すインデックス・データＡＤ１を供給し、音色パラメータ記憶部（Voice RAM）３４に書き込まれる音色パラメータがインタフェース３０のDATA出力から出力される際に音色パラメータ記憶部（Voice RAM）３４にその旨を示すインデックス・データＡＤ２を供給している。
シーケンサ３３は、ＦＩＦＯ３１に読出パルス（Read）を印加してＦＩＦＯ３１から順次シーケンス・データを読み出して解釈し、シーケンス・データ中の時間情報に対応してシーケンス・データに対応する発音パラメータを音源部３５に設定している。また、インタフェース３０のDATA出力から取り込まれた音色割当データで指定されたチャンネル毎の音色ナンバを音色パラメータ記憶部（Voice RAM）３４に供給して、音色ナンバに対応する音色パラメータを音色パラメータ記憶部（Voice RAM）３４から読み出して音源部３５の各チャンネルに設定している。
【００２６】
また、インタフェース３０を介して取り込まれた楽曲データ中のテンポデータ（Tempo）と音色割当データは、テンポデータあるいは音色割当データであることを示すインデックス・データをＩＮＤＥＸデコーダ３２がデコードしてシーケンサ３３にインデックス・データＡＤ１として供給することにより、シーケンサ３３に取り込まれる。シーケンサ３３は、取り込んだ音色割当データで指定された音色パラメータを音色パラメータ記憶部（Voice RAM）３４から読み出して、音源部３５に設定する。
また、音色割当データおよびテンポデータはユーザが編集可能とされている。
【００２７】
音色パラメータ記憶部（Voice RAM）３４は、インタフェース３０のDATA出力から取り込まれた音色パラメータが書き込まれる記憶手段であり、例えば８音色分の音色パラメータを記憶できる小さな記憶容量を有している。音源部３５は、例えば４チャンネルの楽音信号を同時に発音することができ、各チャンネルは音色割当データに従って音色パラメータ記憶部（Voice RAM）３４から読み出された音色に設定され、シーケンサ３３から供給される発音パラメータに従った音高と発音時間長の楽音信号を各チャンネル毎に生成している。生成された４チャンネル分の楽音信号は、所定の再生タイミング毎にディジタルアナログ変換器（ＤＡＣ）３６に供給されて、アナログの楽音信号とされる。この楽音信号は、ミキサ３７において音声処理部１４によりデコードされた受話信号とミキシングされる。
【００２８】
なお、音色パラメータ記憶部（Voice RAM）３４には、前述したようにシーケンス・データを再生する際に使用する１つ以上の音色パラメータが転送されて書き込まれるので、音色パラメータ記憶部（Voice RAM）３４の記憶容量が、例えば８音色分の音色パラメータを記憶できる小さな記憶容量であっても、当該楽曲データを再生する際に必要な音色パラメータは全て音色パラメータ記憶部（Voice RAM）３４に記憶されているようになる。従って、音色パラメータ記憶部（Voice RAM）３４の記憶容量が少なくても、データ量が多くされる高音質の音色パラメータに基づいて高品質の音質の楽曲を再生することができるようになる。さらに、システムＲＡＭ１１から所望の音色パラメータを選択して、音色パラメータ記憶部（Voice RAM）３４に書き込むことにより、種々の音色の楽曲を再生することが可能となる。
【００２９】
次に、図３に示す楽曲再生部１５の動作を説明するにあたり、楽曲データ、シーケンス・データ、音色パラメータおよび音色割当データの構成について以下に、説明する。
楽曲データの構成を図４（ａ）に示す。楽曲データは、チャンネル１の音色を指定するＣＨ１音色ナンバ、チャンネル２の音色を指定するＣＨ２音色ナンバ、・・・チャンネルｎの音色を指定するＣＨｎ音色ナンバと、シーケンス・データとから構成されている。音色ナンバが指定されるチャンネル数は、シーケンス・データを再生する際の同時発音数とされ、例えば最大４チャンネルとされている。このようなデータ構成の楽曲データがシステムＲＡＭ１１に少なくとも１曲以上記憶されている。各チャンネルに指定される音色ナンバは、そのチャンネルの音色を指定する情報であり、各チャンネルに音色ナンバを設定することにより、音色ナンバで特定される音色パラメータの楽音が当該チャンネルで再生されるようになる。このことから、各チャンネルナンバと各チャンネルに設定される音色ナンバとからなるデータブロックを音色割当データという。この場合、音色パラメータの実体はシステムＲＡＭ１１に設けた音色パラメータ格納領域に記憶されるようになり、図４（ｂ）に示す音色ナンバと音色パラメータとを対応させた音色パラメータテーブルが用意される。楽曲データが読み出される際には音色パラメータテーブルを参照することにより、その音色ナンバで指定された音色パラメータを、音色パラメータ記憶領域から読み出して楽曲再生部１５に与えるようにすればよい。このようにすると、シーケンス・データは異なるが同一の音色パラメータを使用する場合に、重複して音色パラメータを記憶する必要がなくなり、システムＲＡＭ１１の記憶領域を有効に使用することができる。
【００３０】
シーケンス・データは、音符データと休符データとが楽譜とおり配列されて構成され、音符データと休符データのデータ構成の一例を図５に示す。図５に示す１ワードで示される音符データは、音高を示すオクターブコードとノートコード、発音するチャンネルナンバと、次の音符または休符までの時間長であるインターバルと、発音長の情報から構成される。また、図５に示す１ワードで示される休符データは、休符の種類を示す休符データと、発音チャンネルのチャンネルナンバと、次の音符または休符までの時間長であるインターバルとから構成されている。
なお、音符データに再生する発音パラメータを指定する音色ナンバを付加するようにしてもよい。このようにすると、音符データ毎に音色を指定することができる。
【００３１】
次に、音色パラメータ記憶部（Voice RAM）３４に書き込まれる音色パラメータの構成例を図６に示す。
音色パラメータ記憶部（Voice RAM）３４には、複数の音色パラメータを書き込むことができ、その音色パラメータ数ｎは、例えば最大「８」とされる。図６に示すように、音色パラメータ１、音色パラメータ２、・・・音色パラメータｎは、波形パラメータと、エンベロープパラメータと、変調パラメータと、エフェクトパラメータからなり、それぞれのパラメータは各音色パラメータに特有のパラメータとされている。各音色パラメータにおける波形パラメータは、楽音波形を指示しており、例えば音源部３５が波形テーブルを有するＰＣＭ音源とされていた場合は、波形テーブルの何れかの波形を指示するパラメータあるいは波形サンプルデータそのものとされ、音源部３５がＦＭ音源とされていた場合は、ＦＭ演算のアルゴリズムを指示するパラメータとされる。エンベロープパラメータは、アタックレート，ディケイレート，サスティンレベル，リリースレート等のパラメータであり、変調パラメータはビブラートやトレモロの深さや速さのパラメータであり、エフェクトパラメータはリバーブ、コーラス、バリエーション等のパラメータである。
【００３２】
次に、音色割当データの構成例を図７に示す。図７に示すように、チャンネル１〜チャンネル４に割り当てられた音色が音色ナンバで示されている。すなわち、シーケンサ３３がチャンネル毎に指定された音色ナンバを音色パラメータ記憶手段３４に供給すると、音色ナンバに対応する音色パラメータが音色パラメータ記憶手段３４から読み出されて音源部３５の各チャンネルの音色としてそれぞれ設定されるようになる。
【００３３】
ここで、システムＣＰＵ１０が再生スタート指示を行うと、スタート指示（Start）がシーケンサ３３に与えられて再生が開始される。システムＣＰＵ１０が再生スタート指示を行う場合は、携帯電話機１（１０１）において再生キーを操作することによりＢＧＭや通常再生がスタートされた場合、および、着信通知が受信されて着信音（着信メロディ）の再生がスタートされた場合である。また、保留操作キーを操作して保留音の再生がスタートされた場合も、システムＣＰＵ１０が再生スタート指示を行う。システムＣＰＵ１０は、再生スタート指示を行った際に再生指示スタートの原因となった用途（着信、ＢＧＭ、通常再生、保留）毎にあらかじめ選択されている楽曲データを楽曲再生部１５に送る。
【００３４】
この際に、選択された楽曲データにおけるシーケンス・データの先頭から所定量のシーケンス・データがシステムＣＰＵ１０からＦＩＦＯ３１に書き込まれ、音色割当データで指定されている１つ以上の音色パラメータが、システムＣＰＵ１０の制御の基で音色パラメータ記憶部（Voice RAM）３４に書き込まれるようになる。なお、シーケンス・データの書き込みは、ＩＮＤＥＸデコーダ３２がデコードした書込パルス（ＷＰ）をＦＩＦＯ３１に供給することにより、インタフェース３０を介して取り込まれたシーケンス・データがＦＩＦＯ３１に書き込まれることにより行われる。また、音色パラメータの書き込みは、ＩＮＤＥＸデコーダ３２がデコードしたインデックス・データＡＤ２を音色パラメータ記憶部（Voice RAM）３４に供給することにより、インタフェース３０を介して取り込まれた音色パラメータが音色パラメータ記憶部（Voice RAM）３４に書き込まれることにより行われる。
【００３５】
再生指示を受けたシーケンサ３３は、ＦＩＦＯ３１に書き込まれているシーケンス・データの先頭を読み出して解釈し、シーケンス・データに基づく発音パラメータを音源部３５にセットする。同時に、音色割当データで指定された音色ナンバを音色パラメータ記憶部（Voice RAM）３４に通知し、音色ナンバに対応する音色パラメータを音色パラメータ記憶部（Voice RAM）３４から読み出して音源部３５にセットする。これにより、音源部３５からシーケンス・データに基づいて再生データを再生する準備が整うようになる。
ところで、インタフェース３０を介して取り込まれた楽曲データ中のシーケンス・データは、そのインデックス・データをＩＮＤＥＸデコーダ３２がデコードしてＦＩＦＯ３１に書込パルス（ＷＰ）を供給することにより、ＦＩＦＯ３１には最大３２ワード分のシーケンス・データが書き込まれるようになる。ただし、シーケンス・データは３２ワードで全てではなく、３２ワードのシーケンスデータは一曲のシーケンス・データの一部である。そこで、ＦＩＦＯ３１に格納されているシーケンス・データのデータ量が所定量以下とされた際に、ＦＩＦＯ３１は割込要求信号（ＩＲＱ）をシステムＣＰＵ１０に通知して、続くシーケンス・データをＦＩＦＯ３１に書き込むようにしている。
【００３６】
すなわち、音源部３５が楽音を再生する際には、ＦＩＦＯ３１から上記した音符データおよび休符データが順次読み出されるようになり、読み出された音符データおよび休符データはクリアされる。この結果、ＦＩＦＯ３１には空きエリアが発生するようになる。再生スタート時には、ＦＩＦＯ３１にはシーケンス・データの先頭の３２ワード分しか書き込まれていないため、発生した空きエリアに続く次のシーケンス・データを書き込むようにすれば、データ量が多くされるシーケンス・データとされていてもＦＩＦＯ３１に繰り返しシーケンス・データを書き込むことにより、長時間再生されるシーケンス・データを再生することができるようになる。楽曲再生部１５は、このような原理で楽曲データを再生しており、再生に先立ってＦＩＦＯ３１に何ワード分の空きエリアが発生した際に次のシーケンス・データをＦＩＦＯ３１に書き込むかを設定している。IRQ Pointデータは、このデータで示すワード分空きエリアが発生した時に、ＦＩＦＯ３１に続くシーケンス・データを書き込むことを指示する割込要求信号（ＩＲＱ）をシステムＣＰＵ１０に与えるためのデータであり、再生に先立ってIRQ Pointデータが設定される。この場合、IRQ Pointデータを「０」ワードに近く設定すると、割込頻度が増加するが、書込ワード数が少なくなるためシステムＣＰＵ１０の処理は軽い処理とすることができる。一方、IRQ Pointデータを「３２」ワードに近く設定すると、割込頻度は少なくなるが書込ワード数が多くなるためシステムＣＰＵ１０の処理は重くなる。従って、システムＣＰＵ１０の処理速度に応じてIRQ Pointデータを設定するのが好適である。
【００３７】
ここで、シーケンサ３３がＦＩＦＯ３３に読出パルス（Read）を印加して、ＦＩＦＯ３１から先頭のシーケンス・データを読み出すと、シーケンサ３３は読み出されたシーケンス・データ（音符データ）中のオクターブコードとノートコードの音高データと、チャンネルナンバで指定されたチャンネルに設定されている音色パラメータを音色パラメータ記憶部（Voice RAM）３４から読み出して音源部３５に供給する。そして、設定されたテンポ情報とインターバル情報に基づく発音タイミングに達すると、キーオンデータを音源部３５に供給して、再生を開始させる。音源部３５は、供給された音色パラメータの楽音を指定された音高で再生する。そして、シーケンス・データの発音長で示す終了タイミングにおいて、シーケンサ３３は当該楽音のキーオフデータを当該チャンネルを指定して音源部３５に設定する。これにより音源部３５は、当該楽音の消音処理を行う。このような再生処理がシーケンス・データをＦＩＦＯ３１から読み出す毎に実行されることにより、音源部３５から再生された楽音データがＤＡＣ３６へ出力されていくようになる。
【００３８】
そして、楽音再生の進行に伴いＦＩＦＯ３１において検出された空きエリアがIRQ Pointデータ値に等しくなった場合には、割込要求信号（ＩＲＱ）がシステムＣＰＵ１０に与えられる。システムＣＰＵ１０はこれを受けて、システムＲＡＭ１１から次のシーケンス・データを（３１−IRQ Point）ワード分読み出してバス２４に送出する。このシーケンス・データは、インタフェース３０を介してＦＩＦＯ３１の空きエリアに書き込まれる。このようなＦＩＦＯ３１への（３１−IRQ Point）ワード分の次のシーケンス・データが書き込まれる処理が繰り返し実行されることにより、多くのデータからなるシーケンス・データであっても結果的にＦＩＦＯ３１に全てのデータが書き込まれることになる。ＦＩＦＯ３１から読み出されたシーケンス・データは、音源部３５において順次再生されて出力されることから、多くのデータとされる長時間の再生楽音を得ることのできる楽曲データを、例えば３２ワード分しか記憶できないＦＩＦＯ３１を用いても再生することができるようになる。
【００３９】
ここで、携帯電話機１に着信があった際に、楽曲再生部１５で楽曲が再生されるように設定されていた場合は、携帯電話機１に着信があった際に、上記した楽曲再生処理が行われてＤＡＣ３６によりアナログ信号に変換された楽音信号が着信音として着信用スピーカ２３から放音される。また、携帯電話機１が保留操作された際に、楽曲再生部１５で楽曲が保留音として再生されるように設定されていた場合は、携帯電話機１が保留された際に、上記した楽曲再生処理が行われてＤＡＣ３６によりアナログ信号に変換された楽音信号が保留音として受話用スピーカ２２から放音される。同時に、相手側の電話機に保留音を送信するために音源部３５から出力される楽音信号が、音声処理部１４に供給され、通信部１３を介して送信されるようになる。
【００４０】
次に、本発明の端末装置を携帯電話機とし本発明の楽曲データ配信装置をダウンロードセンターとして構築した、図１に示す電話回線を使用したネットワークにおいて、携帯電話機１がダウンロードセンター６に配信要求をして、楽曲データをダウンロードする際の、携帯電話機１とダウンロードセンター６とで行われる処理を図８を参照して説明する。
ユーザが携帯電話機１からダウンロードセンター６の電話番号を発呼することにより、携帯電話機１とダウンロードセンター６とが接続されたとする。ここで、ユーザは携帯電話機１の表示部１８に表示されたメニューから楽曲データのダウンロード要求（Ｓ１）を行う。ダウンロードセンター６は、このダウンロード要求を受けて、格納されている楽曲データのリストを携帯電話機１に通知してダウンロードする楽曲データのナンバを要求する（Ｓ２）。ユーザは、この際に携帯電話機１の表示部１８に表示された送られた楽曲データのリストから所望の楽曲データを選択する選曲処理（Ｓ３）を行う。この選曲処理により選曲された楽曲データの楽曲ナンバがダウンロードセンター６に通知される（Ｓ４）。
【００４１】
ダウンロードセンター６は、楽曲ナンバを受信すると、その楽曲ナンバに該当する楽曲データを参照して、楽曲データ中の音色割当データを参照して各チャンネルの音色ナンバとそのバージョン情報を抽出する（Ｓ５）。この際に発音チャンネル数が複数チャンネルと設定されている場合は、全てのチャンネルにおける音色パラメータの音色ナンバとそのバージョン情報を抽出する。次いで、ダウンロードセンター６は携帯電話機１に、抽出された音色ナンバの音色パラメータがシステムＲＡＭ１１あるいはシステムＲＯＭ１２に記憶されているか否か、および、記憶されている場合はそのバージョン情報を問い合わせる（Ｓ６）。携帯電話機１は、これを受けて問い合わされた音色ナンバと一致する音色パラメータがシステムＲＡＭ１１あるいはシステムＲＯＭ１２に記憶されているか否かを検出し、検出された場合はその音色パラメータのバージョン情報を抽出する音色パラメータ問い合わせ処理を行う（Ｓ７）。そして携帯電話機１は、この音色パラメータ問い合わせ処理で得られた問い合わされた音色ナンバと一致する音色パラメータがシステムＲＡＭ１１あるいはシステムＲＯＭ１２に記憶されているか否かの情報と、記憶されている音色パラメータのバージョン情報とをダウンロードセンター６へ通知する（Ｓ８）。
【００４２】
ダウンロードセンター６は、この通知の内容から携帯電話機１へ送信するデータを決定する後述する音色パラメータ一致送信処理（Ｓ９）を行い、決定された送信データを携帯電話機１へ送信する（Ｓ１０）。この音色パラメータ一致送信処理は、携帯電話機１にすでに記憶されている音色パラメータはダウンロードセンター６から配信せず、音色ナンバが一致する音色パラメータが記憶されているもののそのバージョン情報が一致しない場合に、差分の音色パラメータだけを配信するための処理である。少なくともシーケンス・データを含む楽曲データの配信を受けた携帯電話機１では、配信された楽曲データをシステムＲＡＭ１１に記憶する記憶処理が行われる（Ｓ１１）。
【００４３】
この記憶処理では、配信された楽曲データ中の音色パラメータが音色パラメータ記憶領域に格納され、シーケンス・データと音色割当データとからなる楽曲データが、楽曲データ記憶領域に記憶される。この際に、音色割当データがない場合は、各チャンネルに指定された各音色パラメータの音色ナンバから音色割当データを生成する。また、音色パラメータは、そのバージョン情報と一緒に記憶される。なお、差分の音色パラメータが配信された場合は、その差分の音色パラメータと一致する音色ナンバの音色パラメータを、システムＲＡＭ１１から読み出して、読み出された音色パラメータと差分の音色パラメータとを合成することにより、バージョンアップした音色パラメータを生成する。そして、生成された音色パラメータをその音色ナンバの音色パラメータとして、更新されたバージョン情報と共に音色パラメータ記憶領域へ記憶する。記憶処理が終了したら、携帯電話機１はダウンロードセンター６にダウンロード完了通知をし、接続を解除する（Ｓ１２）。
【００４４】
次に、ダウンロードセンター６で実行される音色パラメータ一致送信処理を、図９に示すフローチャートを参照しながら説明する。
この音色パラメータ一致送信処理が起動されると、ステップＳ２１にてチャンネルナンバｉが１に設定され、ステップＳ２２にて携帯電話機１から受けた問い合わせの回答の内容から、配信される楽曲データにおけるチャンネル１の音色パラメータの音色ナンバと一致する音色ナンバが、携帯電話機１において検出されたか否かが判断される。ここで、一致する音色ナンバが携帯電話機１において検出されたと判断された場合は、ステップＳ２３にてその音色ナンバの音色パラメータが携帯電話機１にすでに記憶されているか否かが携帯電話機１から受けた問い合わせの回答の内容から判断される。ここでも、その音色ナンバの音色パラメータが携帯電話機１にすでに記憶されていると判断された場合は、ステップＳ２４にて、配信される楽曲データにおけるチャンネル１の音色パラメータのバージョン情報と、携帯電話機１に記憶されている音色パラメータのバージョン情報とが一致するか否かが、携帯電話機１から受けた問い合わせの回答の内容から判断される。
【００４５】
このステップＳ２４にて、両音色パラメータのバージョン情報が一致すると判断された場合は、その音色パラメータは既に携帯電話機１に記憶されているので、その音色パラメータを選択することなくステップＳ２７に進む。これにより、その音色パラメータはダウンロードセンター６から配信されないことになる。また、ステップＳ２２にて配信される楽曲データにおけるチャンネル１の音色パラメータの音色ナンバと一致する音色ナンバが、携帯電話機１において検出されなかったと判断された場合は、ステップＳ２５にてその音色パラメータが選択されるようになる。さらに、ステップＳ２３において、その音色ナンバの音色パラメータが携帯電話機１に記憶されていないと判断された場合も、ステップＳ２５にてその音色パラメータが選択されるようになる。さらにまた、ステップＳ２４にて両音色パラメータのバージョン情報が一致しないと判断された場合は、ステップＳ２６に分岐して両音色パラメータの差分の音色パラメータが生成される。この場合、バージョン情報の違いに応じた差分音色パラメータをあらかじめ用意しておき、バージョン情報の違いに応じた差分音色パラメータを選択することにより生成するようにしてもよい。
【００４６】
ステップＳ２５あるいはステップＳ２６の処理が終了すると、ステップＳ２７に進み、ステップＳ２７にて最後のチャンネルか否かが判断される。この場合は、ｉは１とされているのでＮＯと判断されステップＳ２８に分岐する。ステップＳ２８にてチャンネルナンバがインクリメントされ、ステップＳ２２に戻り、ステップＳ２２ないしステップＳ２７の処理がチャンネル２に対して行われる。そして、ステップＳ２２ないしステップＳ２７の最後のチャンネルに対する処理が終了すると、ステップＳ２９に進んでステップＳ２５にて選択された音色パラメータ、ステップＳ２６で生成された差分音色パラメータ、および、シーケンス・データとが携帯電話機１へ送信されるようになる。
このように、音色パラメータ一致送信処理では、チャンネル毎に処理をしているので、チャンネル毎に指定されている音色パラメータの送信態様が異なる場合がある。
【００４７】
なお、ＦＩＦＯ３１の記憶容量は３２ワード分のシーケンス・データを記憶できる容量としたが、これに限るものではなくシステムＲＡＭ１１より大幅に少ない記憶容量とされていればよい。さらに、音色パラメータ記憶部（Voice RAM）３４は８音色分の音色パラメータを記憶できる記憶容量としたが、これに限るものではなく少なくとも発音チャンネル数以上の音色数を記憶できる記憶容量であれば、システムＲＡＭ１１より大幅に少ない記憶容量でよい。
さらに、楽曲データを記憶手段に記憶しておく際に、シーケンス・データ＋音色割当データと音色パラメータとに分けてそれぞれの記憶領域に記憶するようにしたが、本発明はこれに限るものではなく、シーケンス・データ＋音色パラメータの形態で記憶するようにしてもよい。
【００４８】
さらにまた、本発明の楽曲再生装置における音源部３５の音源方式としては、ＦＭ音源方式、波形メモリ音源（ＰＣＭ音源、ＡＤＰＣＭ音源）方式、物理モデル音源方式等とすることができ、音源の構成としてはＤＳＰ等を用いたハードウェア音源でも、音源プログラムを実行させるソフトウェア音源でもよい。
さらにまた、シーケンス・データは図５に示すフォーマットとしたが、本発明はこれに限るものではなく、時間情報を付加したＭＩＤＩ形態やＳＭＦ（Standard MIDI File）形式のシーケンス・データであってもよい。
【００４９】
【発明の効果】
本発明は以上説明したように、楽曲データが配信される端末装置において、配信される楽曲データにおける音色パラメータの音色ナンバに該当する音色パラメータが格納されていない場合と、格納されていたとしてもその音色パラメータのバージョン情報が一致しない場合に、その音色パラメータを端末装置に配信するようにしている。従って、すでに端末装置に格納されている音色パラメータをダウンロードすることを防止することができる。また、配信される音色パラメータがバージョンアップされている場合も配信されるので、端末装置には最新の音色パラメータを格納することができるようになる。
なお、バージョンアップされた音色パラメータを配信する際に、その差分の音色パラメータのみを配信するようにすると、配信データ量を低減することができ、ダウンロード時間を短時間とすることができる。このように、差分の音色パラメータのみが配信された場合は、端末装置において既に格納されている音色ナンバが一致する音色パラメータと配信された差分の音色パラメータから、最新の音色パラメータを生成して記憶することができる。これにより、端末装置にはバージョンアップされた最新の音色パラメータを格納することができるようになる。
【図面の簡単な説明】
【図１】  本発明の端末装置を携帯電話機とし本発明の楽曲データ配信装置をダウンロードセンターとして構築した、電話回線を使用したネットワークの概念図である。
【図２】  本発明の端末装置の実施の形態である携帯電話機の構成例を示す図である。
【図３】  本発明の端末装置の実施の形態である携帯電話機における楽曲再生部の構成例を示す図である。
【図４】  楽曲データのデータ構成例を示す図である。
【図５】  シーケンス・データのデータ構成例を示す図である。
【図６】  楽曲再生部の音色パラメータ記憶部（Voice RAM）に書き込まれた音色パラメータの構成例を示す図である。
【図７】  音色割当データの構成例を示す図である。
【図８】  図１に示すネットワークにおいて、楽曲データのダウンロード時に本発明の端末装置である携帯電話機と本発明の楽曲データ配信装置であるダウンロードセンターとで行われる処理を説明するための図である。
【図９】  本発明の楽曲データ配信装置であるダウンロードセンターで行われる音色パラメータ一致送信処理のフローチャートである。
【符号の説明】
１  携帯電話機、１ａ  アンテナ、２ａ，２ｂ，２ｃ，２ｄ  基地局、３  移動交換局、４  関門交換局、５ａ，５ｂ，５ｃ  一般電話交換局、６  ダウンロードセンター、１０  システムＣＰＵ、１１  システムＲＡＭ、１２  システムＲＯＭ、１３  通信部、１４  音声処理部、１５  楽曲再生部、１６  インタフェース（Ｉ／Ｆ）、１７  入力部、１８  表示部、１９  バイブレータ、２０  外部機器、２１  マイク、２２  受話用スピーカ、２３  着信用スピーカ、２４  バス、３０  インタフェース（Ｉ／Ｆ）、３１  ＦＩＦＯ、３２  ＩＮＤＥＸデコーダ、３３  シーケンサ、３４  音色パラメータ記憶部（Voice RAM）、３５音源部、３６  ディジタルアナログ変換器（ＤＡＣ）、３７  ミキサ（ＭＩＸ）、１０１  携帯電話機
【図１】
0003641999.tif 000002
【図２】
0003641999.tif 000003
【図３】
0003641999.tif 000004
【図４】
0003641999.tif 000005
【図５】
0003641999.tif 000006
【図６】
0003641999.tif 000007
【図７】
0003641999.tif 000008
【図８】
0003641999.tif 000009
【図９】
0003641999.tif 000010